(57)【要約】【課題】比較的安価に製造可能で、シート状品のサイズが変わったものでも、同じ収納ケースでそれぞれのシート状品を動かないようにして積層状態で収納し、シート状品の搬送及び保管に便利なシート状品の収納ケースを提供する。【解決手段】矩形の底板１６及び底板１６の周囲に立設された側板１７〜２４を備えたケース本体１１と、ケース本体１１に着脱自在な蓋１２とを有し、複数のシート状品２９を積層して収納する収納ケース１０であって、ケース本体１１内には、収納されるシート状品２９のサイズに応じてシート状品２９を位置決め固定する着脱可能な位置決めブロック１３〜１５を備え、少なくとも一方の側板１７、２２〜２４には、位置決めブロック１３〜１５の側部に突出して設けられている係止用突起４７が嵌入する係合部５０が設けられている。【選択図】        図１
2004224409.tif 000002
【特許請求の範囲】
【請求項１】
矩形の底板及び該底板の周囲に立設された側板を備えたケース本体と、該ケース本体に着脱自在な蓋とを有し、複数のシート状品を積層して収納するシート状品の収納ケースであって、
前記ケース本体内には、収納される前記シート状品のサイズに応じて該シート状品を位置決め固定する着脱可能な位置決めブロックを備え、
前記側板のうち対向する前記側板の少なくともいずれか一方には、前記位置決めブロックの側部に突出して設けられている係止用突起が嵌入する係合部が設けられていることを特徴とするシート状品の収納ケース。
【請求項２】
請求項１記載のシート状品の収納ケースにおいて、前記位置決めブロックの前記係止用突起が設けられている面と反対側の面には、他の位置決めブロックの係止用突起が嵌入する別の係合部が設けられ、前記位置決めブロックに同一幅又は異なる幅の前記別の位置決めブロックが積層可能となっていることを特徴とするシート状品の収納ケース。
【請求項３】
請求項１及び２のいずれか１項に記載のシート状品の収納ケースにおいて、前記側板に設けられた係合部は、該側板の上部に設けられた切欠きからなることを特徴とするシート状品の収納ケース。
【請求項４】
請求項１〜３のいずれか１項に記載のシート状品の収納ケースにおいて、前記位置決めブロックは、前記シート状品の積層高さに相当する高さを有することを特徴とするシート状品の収納ケース。
【発明の詳細な説明】
【０００１】
【発明の属する技術分野】
本発明は、半導体回路を搭載するリードフレーム等の薄板状のシート状品を収納するケース（容器）に関する。
【０００２】
【従来の技術】
シート状品、例えば半導体装置に使用されるリードフレームはリードが細く、また昨今の多ピン化によりリードは更に細くなり、外力の作用によって変形し易くなっている。これらリードフレームの短冊状品は、その変形を防止すると共に外部からの保護を図るために、一般には収納ケースに積層状態で収納された状態で、保管、後工程への搬送、又は客先等への持ち運びが行われている。
特許文献１にはこのようなリードフレームを積層した状態で収納するリードフレームの収納容器が提案され、底板の隣接する２辺に側板を立設し、底板の他方側に辺からスライド可能なラチェット歯を形成した案内溝を設け、この案内溝内に底部に掛止歯を備えたガイドを入れて、リードフレームの寸法に応じてガイドを移動させて、収納したリードフレームを側板とガイドとの間に固定保持する構造となっている。
【０００３】
【特許文献１】
実開平７−１１５９０号公報（図１）
【０００４】
【発明が解決しようとする課題】
しかしながら、リードフレームは多種あってそのサイズも種々あり、リードフレームのサイズに合わせて多種類の収納ケースを準備しておくには、多種の収納ケースを製造しなければならないのでコストがかかり、更には保管場所が嵩み、また、リードフレームに応じてこれらの収納ケースを選択して使用しなければならないので、使用や保管管理が大変であるという問題があり、収納ケースを製造するための金型を多種類用意する必要がありコストがかかる。
特許文献１に記載の収納容器は、底板に対してそれぞれラチェット歯を備える複数の案内溝を形成する必要があり、構造が複雑でコスト高になる。また、リードフレームによってはラチェット歯のピッチ分だけのガタが生じ、搬送時にこれによる振動が発生することがある。更には、リードフレームの寸法は無制限に異なるのではなく、一定の基準で異なるので、必ずしも無段階に幅寄せができる必要はない。
【０００５】
このような問題は、リードフレーム以外のサイズの異なるシート状品を入れる収納ケースについても共通に発生する問題であった。
本発明はかかる事情に鑑みてなされたもので、比較的安価に製造可能で、シート状品のサイズが異なるものでも、同じ収納ケースでそれぞれのシート状品を動かないようにして積層状態で収納し、シート状品の搬送及び保管に便利なシート状品の収納ケースを提供することを目的とする。
【０００６】
【課題を解決するための手段】
前記目的に沿う第１の発明に係るシート状品の収納ケースは、矩形の底板及び該底板の周囲に立設された側板を備えたケース本体と、該ケース本体に着脱自在な蓋とを有し、複数のシート状品を積層して収納するシート状品の収納ケースであって、
前記ケース本体内には、収納される前記シート状品のサイズに応じて該シート状品を位置決め固定する着脱可能な位置決めブロックを備え、
前記側板のうち対向する前記側板の少なくともいずれか一方には、前記位置決めブロックの側部に突出して設けられている係止用突起が嵌入する係合部が設けられている。
【０００７】
これによって、シート状品を収納ケースに入れて、その一側に所定幅の位置決めブロックを入れると、シート状品は、収納ケースの片側に幅寄せされて収納される。位置決めブロックには係止用突起が設けられ、側板の係合部に固定される。従って、位置決めブロックをシート状品のサイズ毎に用意することによって、複数種類のシート状品を収納ケースに固定状態で入れ込むことができる。
【０００８】
第２の発明に係るシート状品の収納ケースは、第１の発明に係るシート状品の収納ケースにおいて、前記位置決めブロックの前記係止用突起が設けられている面と反対側の面には、他の位置決めブロックの係止用突起が嵌入する別の係合部が設けられ、前記位置決めブロックに同一幅又は異なる幅の前記別の位置決めブロックが積層可能となっている。これによって、シート状品の種類に対する位置決めブロックの数を減らすことができる。
【０００９】
第３の発明に係るシート状品の収納ケースは、第１及び第２の発明に係るシート状品の収納ケースにおいて、前記側板に設けられた係合部は、該側板の上部に設けられた切欠きからなる。これによって、位置決めブロックの係止用突起を側板の上から嵌入させることができ、予めシート状品を収納ケースに入れた状態で、位置決めブロックの取付けが可能となる。
【００１０】
そして、第４の発明に係るシート状品の収納ケースは、第１〜第３の発明に係るシート状品の収納ケースにおいて、前記位置決めブロックは、前記シート状品の積層高さに相当する高さを有する。これによって、シート状品の積層高さと、位置決めブロックの高さが一致するので、収納ケースに蓋を被せることによって、両者を収納ケースに保持できる。
【００１１】
【発明の実施の形態】
続いて、添付した図面を参照しつつ、本発明を具体化した実施の形態につき説明し、本発明の理解に供する。
図１は本発明の一実施の形態に係るシート状品の収納ケースの一部切欠き側面図、図２（Ａ）、（Ｂ）はそれぞれ同収納ケースの蓋の側面図及び平面図、図３は同収納ケースのケース本体及び蓋の斜視図、図４（Ａ）〜（Ｆ）はそれぞれ同収納ケースに使用する位置決めブロックの斜視図及び平面図、図５〜図７は同収納ケースの使用状態を示す平面図である。
【００１２】
図１〜図５に示すように、本発明の一実施の形態に係るシート状品の収納ケース（以下、単に「収納ケース」という）１０は、比較的硬質のプラスチック（例えば、ＡＢＳ、ＰＰ、廃棄処理された熱可塑性プラスチックを溶かし合わせた複合プラスチック）や金属等からなって、縦長のケース本体１１とその上に着脱可能に被さる蓋１２と、ケース本体１１内にその位置を変えて着脱可能な３種類の位置決めブロック１３〜１５とを有している。ケース本体１１は、平面視して矩形の底板１６を有し、長手方向に対向する側板１７、１８を備え、長手方向と直交する方向（幅狭方向）の底板１６の両側にはそれぞれ３つに分割された側板１９〜２１、２２〜２４を有している。
【００１３】
側板１９と側板２０との間、側板２０と側板２１との間、及び側板２２と側板２３との間、側板２３と側板２４との間には、それぞれ上方に開く逆台形状の開放部２５〜２８が形成され、収納されたシート状品の一例であるリードフレーム２９がその部分から見えるようになっている。また、開放部２５〜２８に連接する底板１６の端部には深さが２〜５ｍｍ程度の切り込み３０〜３３がそれぞれ形成されて、底板１６の片側に寄せて配置されたリードフレーム２９の側部に指が直接当たり、その取り出しが可能となっている（図５参照）。なお、図１、図３に示す収納ケース１０にはリードフレーム２９は収納されていない。
【００１４】
底板１６は上側は平面状となって、下側には断面四角形の補強用のリブ３４が格子状に設けられている。
一方、図３に示すように、側板１７、１８の両端は、それぞれ側板１９、２２及び側板２１、２４の端部に連結されている。側板１７、１８の中間位置にはそれぞれ上下方向に長い２本の切れ目３５〜３８が形成されている。この切れ目３５〜３８のいずれか１又は２以上を通じて内部に積層状態で収納されたリードフレーム２９の端面を目視できる。各切れ目３５〜３８の上端は、以下に説明する連結部３９によって連接されて、蓋１２の長手方向両側にそれぞれ左右対となって突出する突起４０、４１が嵌入するようになっている。
【００１５】
前記蓋１２は、図２（Ａ）、（Ｂ）、図３に示すように、下部平面の一枚の板材４２とその上に配置されている実質格子状の補強リブ３４と、板材４２の上側に板材４２の周端部を超えて形成されている枠４３とを有している。板材４２の大きさは、側板１７〜２４に囲まれるケース本体１１の内部に丁度嵌入する広さとなって、枠４３は側板１７〜２４の上端部に載ってストッパーとして働き、板材４２のケース本体１１内への落ち込みを防止している。枠４３の周囲の平面的大きさは、ケース本体１１を平面視した大きさとなって、蓋１２がケース本体１１に丁度の寸法で被さるようになっている。
【００１６】
この蓋１２の長手方向の両側には前述のように突起４０、４１が設けられている。この突起４０、４１は板材４２の下端に設けられ、蓋１２をケース本体１１に被せた場合、突起４０、４１が側板１７、１８の切れ目３５〜３８に嵌入し、しかも、図１の部分拡大図に示すように、突起４０、４１の上端が切れ目３５〜３８の上端の連結部３９の下端に当接するように、その上下及び左右位置が決定されている。これらの連結部３９の上側には、上部から押し込まれる突起４０、４１の滑り性を考慮してその内側位置に傾斜面４４がそれぞれ設けられている。なお、図２（Ｂ）、図３に示すように突起４０、４１の上位置に対応する枠４３には突起４０、４１より幅広の切欠き４５が設けられている。また、突起４０、４１の突出長は側板１７、１８の厚みの約半分となっている。
【００１７】
前記した位置決めブロック１３は、図４（Ａ）、（Ｂ）に示すように升状かつ全体として直方体形状のブロック本体４６と、その開口側端部でかつその上位置中央に突出して設けられている係止用突起４７とを有している。係止用突起４７は断面長方形となってその突出長さは、側板２２〜２４の厚みと同一となっている。そして、位置決めブロック１３の高さｈ１は、リードフレーム２９の積層高さ、即ち、｛ケース本体１１の深さ−（蓋１２の高さ−枠４３の周囲の厚み）｝となっている。これによって、蓋１２をケース本体１１に被せた場合には、丁度蓋１２の底面が位置決めブロック１３の上面に当接するようになっている。なお、係止用突起４７の根元部分には浅い切り込み４８、４９が形成されて、係止用突起４７の根元部分まで、以下に説明する切欠き５０に嵌入するようになっている。
【００１８】
一方、側板１７、２２〜２４及び側板２０には、係止用突起４７が嵌入する係合部の一例である切欠き５０が設けられている。この切欠き５０は係止用突起４７の幅と実質同一か僅少の範囲で広くなって、確実に係止用突起４７が嵌入し、しかも係止用突起４７が切欠き５０に嵌入した場合には、横方向にガタがない構造となっている。切欠き５０の深さは十分に余裕をもって深くなっている。
そして、図４、図５に示すように、本実施の形態における位置決めブロック１３の幅ｗ１は、（ケース本体１１の内幅ａ−リードフレーム２９の幅ｂ）になっている。これによって、リードフレーム２９をケース本体１１内に入れてこの位置決めブロック１３をケース本体１１に装着することによって、リードフレーム２９を固定できる構造となっている。
また、位置決めブロック１３には、係止用突起４７が設けられている側と反対側の面に、他の位置決めブロック１３〜１５が嵌入する別の係合部の一例である切り込み５１が形成され、この位置決めブロック１３に対して、他の位置決めブロック１３〜１５のいずれか１を積層状態で連結できるようになっている。
【００１９】
なお、位置決めブロックは、予めブロック本体の幅寸法が異なる所定寸法のブロックを複数種類製造しておき、この中からリードフレームの寸法に合わせて適宜選択して使用され、この実施の形態においては、収納ケース１０は、図４（Ｃ）〜（Ｆ）に示すように、位置決めブロック１３の他に、２種類の位置決めブロック１４、１５を使用している。これらの構造は実質的に同一で、単にブロック本体４６、５２、５３の幅ｗ１、ｗ２、ｗ３が異なるのみであるので、共通の部分は共通の番号を付して詳しい説明を省略する。
この位置決めブロック１４、１５は、先に説明した位置決めブロック１３と連結することによって、その全体幅が（ｗ１＋ｗ２）、（ｗ１＋ｗ３）、（ｗ２＋ｗ３）としたり、あるいは、位置決めブロック１４、１５を複数連結して、その全体幅を（ｎｗ２＋ｍｗ３：ｎ、ｍは自然数）とすることができる。従って、リードフレーム２９の種類と、ケース本体１１の内側寸法を考慮して、所定幅の位置決めブロックを予め製造しておくことになる。
【００２０】
図５には、２つの位置決めブロック１３と、位置決めブロック１４、１５を積層したものを用いて細長長方形のリードフレーム２９をこの収納ケース１０に収納した例を示すが、リードフレーム２９の幅及び長さ寸法ｂ、ｄは予め分かっており、ケース本体１１の内寸法ａ、ｃも分かっているので、本実施の形態においては予め製造しておいた所定寸法の位置決めブロックの中から、（ａ−ｂ）という寸法に適合する幅ｗ１を有する位置決めブロック１３を２つ使用する。長手方向の位置決めは、（ｃ−ｄ）という寸法に適合する位置決めブロックを使用するが、適当なものがない場合、本実施の形態のように、例えば、２種類の位置決めブロック１４、１５を選択し、両者を結合させた幅（ｗ２＋ｗ３）が、（ｃ−ｄ）に適合するように組み合わせて使用する。
【００２１】
従って、本実施の形態においては、最初にケース本体１１の側板２３、２４に位置決めブロック１３を係止用突起４７を切欠き５０に嵌入させて取付け、側板１７に、位置決めブロック１４、１５が連結されたものを同様の手順で取付ける。これによって、ケース本体１１内にリードフレーム２９を入れる空間が確保されるので、この部分に所定枚数のリードフレーム２９を収納することになり、収納した後は、蓋１２を被せる。蓋１２の底面によって、位置決めブロック１３〜１５は固定されると共に、積層されたリードフレーム２９も固定保持される。
【００２２】
また、図６に示す例では、前記したリードフレーム２９より大きな寸法の別のリードフレーム５５を収納ケース１０に収納するに当たって、１個の位置決めブロック１５と２個の位置決めブロック１４を使用している。即ち、側板１７の切欠き５０に位置決めブロック１５の係止用突起４７を嵌め込み、位置決めブロック１５を側板１７に固定し、位置決めブロック１４の係止用突起４７をそれぞれ側板２２、２４の切欠き５０に嵌入して、位置決めブロック１４を側板２２、２４に固定した状態で、リードフレーム５５を横ずれしないようにして、ケース本体１１に収納している。なお、この場合、リードフレーム５５の寸法に位置決めブロック１４、１５の寸法を加えた値が、ケース本体１１の内寸になることが条件である。従って、リードフレーム５５が特殊な寸法の場合には、位置決めブロックをリードフレーム５５の縦横の寸法に対応して所定の寸法となったものを用意しておく。
【００２３】
図５、図６に示す例では、側板１８、１９〜２１にリードフレーム２９、５５を接するようにしてリードフレーム２９、５５を収納する例について説明したが、例えば、図７に示すように、対向する側板２０、２３に、例えば、位置決めブロック１４を係止用突起４７を介して取付けた別の位置決めブロック５６を用意し、これによって、ケース本体１１を２分し、更に、側板２２、２４に、例えば位置決めブロック１５をそれぞれ取付けて、小型のリードフレーム５７を２枚並べて収納ケース１０に入れることもできる。
【００２４】
前記実施の形態においては、シート状品がリードフレームである場合について説明したが、その他のシート状品（例えば、素子が搭載されたメモリーカード、キャッシュカード、基板等）であっても本発明は適用される。
【００２５】
【発明の効果】
請求項１〜４に記載のシート状品の収納ケースは、ケース本体内には、収納されるシート状品のサイズに応じてシート状品を位置決め固定する着脱可能な位置決めブロックを備え、側板のうち対向する側板の少なくともいずれか一方には、位置決めブロックの側部に突出して設けられている係止用突起が嵌入する係合部が設けられているので、シート状品のサイズが異なるものでも、複数種類の位置決めブロックを用意しておくことによって、同じ収納ケースでそれぞれのシート状品を動かないようにして積層状態で収納できる。
一旦収納されたシート状品は、収納ケースの側板と位置決めブロックによって縦横を固定され、上下をケース本体の底板と蓋によって保持されているので、搬送時に、内部で各シート状品がずれたり横移動することがない。
更には、全体は収納ケースで覆われているので、シート状品に疵が付くことがない。
また、ケース本体、蓋、及び位置決めブロックは、単純な構造をしているので、製作も容易で安価に製造できる。
【００２６】
特に、請求項２記載のシート状品の収納ケースは、位置決めブロックが積層できる構造となっているので、位置決めブロックの種類を減らすことができ、これによってより安価にシート状品の収納ケースを製造できる。
また、請求項３記載のシート状品の収納ケースは、位置決めブロックの係止用突起が嵌入する係合部は、側板の上部に設けられた切欠きからなるので、構造が簡単である他、収納ケースにシート状品を入れた状態で位置決めブロックを装着することができる。
そして、請求項４記載のシート状品の収納ケースは、位置決めブロックは、シート状品の積層高さに相当する高さを有するので、蓋を閉じることによって、位置決めブロックの抜けや移動も防止できる。
【図面の簡単な説明】
【図１】本発明の一実施の形態に係るシート状品の収納ケースの一部切欠き側面図である。
【図２】（Ａ）、（Ｂ）はそれぞれ同収納ケースの蓋の側面図及び平面図である。
【図３】同収納ケースのケース本体及び蓋の斜視図である。
【図４】（Ａ）〜（Ｆ）はそれぞれ同収納ケースに使用する位置決めブロックの斜視図  及び平面図である。
【図５】同収納ケースの使用状態を示す平面図である。
【図６】同収納ケースの使用状態を示す平面図である。
【図７】同収納ケースの使用状態を示す平面図である。
【符号の説明】
１０：シート状品の収納ケース、１１：ケース本体、１２：蓋、１３〜１５：位置決めブロック、１６：底板、１７〜２４：側板、２５〜２８：開放部、２９：リードフレーム、３０〜３３：切り込み、３４：リブ、３５〜３８：切れ目、３９：連結部、４０、４１：突起、４２：板材、４３：枠、４４：傾斜面、４５：切欠き、４６：ブロック本体、４７：係止用突起、４８、４９：切り込み、５０：切欠き、５１：切り込み、５２、５３：ブロック本体、５５：リードフレーム、５６：位置決めブロック、５７：リードフレーム
【図１】
2004224409.tif 000003
【図２】
2004224409.tif 000004
【図３】
2004224409.tif 000005
【図４】
2004224409.tif 000006
【図５】
2004224409.tif 000007
【図６】
2004224409.tif 000008
【図７】
2004224409.tif 000009